(57)【要約】【課題】成型部品等の高価な部品を使用せずに製造することができるスピーカ付きシートを提供する。【解決手段】シートバック１０は、骨格をなすバックフレーム１１と、バックフレーム１１に支持されたクッション体としてのバックパッド１２と、バックパッド１２を覆う表皮材としてのバックカバー１３と、を有する。バックパッド１２の上部において着座者の頭部を挟む両側には前後方向に貫通する左右一対の貫通孔４１ａが設けられており、貫通孔４１ａ内に複数のセルの軸線を略前後方向に配列したハニカム部材６１と、セルの軸線に対して垂直方向に配置された平面スピーカ６２ａと、が前側から後側に向かってこの順に配置されて密嵌して取付けられた状態でバックカバー１３に覆われている。【選択図】図６
2020151051.tif 000002
【特許請求の範囲】
【請求項１】
スピーカ付きシートであって、
シートバックは、骨格をなすフレームと、該フレームに支持されたクッション体としてのパッドと、該パッドを覆う表皮材としてのカバーと、を有し、
前記パッドの上部には前後方向に貫通する貫通孔が設けられており、
該貫通孔内に複数のセルの軸線を略前後方向に配列したハニカム部材と、前記セルの軸線に対して垂直な面方向に配置された平面スピーカと、が前側から後側に向かってこの順に配置されて密嵌して取付けられた状態で前記カバーに覆われているスピーカ付きシート。
【請求項２】
請求項１において、前記ハニカム部材はブロック状の材料から切り出されて形成されているスピーカ付きシート。
【請求項３】
請求項１又は請求項２において、前記平面スピーカには前記平面スピーカに対して平行に離隔して配置された平板が取付けられており、
該平板が前記フレームの一部に係止されることによって前記シートバックに対して前後方向に移動不能に取付けられているスピーカ付きシート。
【請求項４】
請求項１から請求項３のいずれか１項において、前記貫通孔は、前記ハニカム部材が密嵌して取付けられる部分と、前記平面スピーカが密嵌して取付けられる部分と、で横断面が異なり両部分の境界に段差部が形成されているスピーカ付きシート。
【発明の詳細な説明】
【技術分野】
【０００１】
本発明は、スピーカ付きシートに関する。
【背景技術】
【０００２】
シートバックの上部で着座者の身体が当接しにくい箇所にスピーカを配設したシートが知られている。特許文献１に記載される車両用シートにおいては、ヘッドレストサポートをシートバックフレームに固定するためのブラケットに対して、スピーカが取付けられている状態のヘッドレストサポートを取付けることによってスピーカを配設している。
【先行技術文献】
【特許文献】
【０００３】
【特許文献１】特開２０１１−１７８２８４号公報
【発明の概要】
【発明が解決しようとする課題】
【０００４】
上記した従来のスピーカ付きシートにおいては、スピーカの取付けのために特殊な構造のブラケットとヘッドレストサポートを使用する必要がある。これによって、一部のシートのみにスピーカを取付けようとすると、そのために特殊な構造の成型部品であるブラケットとヘッドレストサポートを準備しなければならず製品価格が高くなるという問題があった。
【０００５】
このような問題に鑑み本発明の課題は、成型部品等の高価な部品を使用せずに製造することができるスピーカ付きシートを提供することにある。
【課題を解決するための手段】
【０００６】
本発明の第１発明は、スピーカ付きシートであって、シートバックは、骨格をなすフレームと、該フレームに支持されたクッション体としてのパッドと、該パッドを覆う表皮材としてのカバーと、を有し、前記パッドの上部には前後方向に貫通する貫通孔が設けられており、該貫通孔内に複数のセルの軸線を略前後方向に配列したハニカム部材と、前記セルの軸線に対して垂直な面方向に配置された平面スピーカと、が前側から後側に向かってこの順に配置されて密嵌して取付けられた状態で前記カバーに覆われていることを特徴とする。
【０００７】
第１発明によれば、シートバックにスピーカを取付けるのに、パッドの貫通孔の中にハニカム部材と平面スピーカとを密嵌して取付けた状態でカバーによって覆うだけでよい。これによって、スピーカ取付けのために成型部品等の高価な部品を使用せずに簡潔な構造のスピーカ付きシートを提供することができる。
【０００８】
本発明の第２発明は、上記第１発明において、前記ハニカム部材はブロック状の材料から切り出されて形成されていることを特徴とする。
【０００９】
第２発明によれば、ハニカム部材はブロック状の材料から切り出して形成すればよいので型等を使用せず安価簡便な方法で製造されることができる。
【００１０】
本発明の第３発明は、上記第１発明又は上記第２発明において、前記平面スピーカには前記平面スピーカに対して平行に離隔して配置された平板が取付けられており、該平板が前記フレームの一部に係止されることによって前記シートバックに対して前後方向に移動不能に取付けられていることを特徴とする。
【００１１】
第３発明によれば、平面スピーカは平板が取付けられ、この平板がフレームの一部に係止されることによってシートバックに対して前後方向に移動不能に取付けられている。これによって、平面スピーカをシートバックに対してより外れにくく取付けることができる。
【００１２】
本発明の第４発明は、上記第１発明ないし上記第３発明のいずれかにおいて、前記貫通孔は、前記ハニカム部材が密嵌して取付けられる部分と、前記平面スピーカが密嵌して取付けられる部分と、で横断面が異なり両部分の境界に段差部が形成されていることを特徴とする。
【００１３】
第４発明によれば、ハニカム部材又は平面スピーカは段差部に当接して前後方向への移動を止められるのでよりパッドから外れにくくすることができる。
【図面の簡単な説明】
【００１４】
【図１】本発明の一実施形態のスピーカ付きシートを斜め前から見た斜視図である。
【図２】上記実施形態に係るシートバックを斜め後ろから見た斜視図である。バックカバーは省いている。
【図３】上記実施形態に係るシートバックを斜め後ろから見た分解斜視図である。バックカバーは省いている。
【図４】図２におけるＩＶ部分を拡大して示す図である。
【図５】図４におけるＶ−Ｖ矢視線断面図である。
【図６】図４におけるＶＩ−ＶＩ矢視線断面図である。
【図７】図４におけるＶＩＩ−ＶＩＩ矢視線断面図である。
【図８】図４におけるＶＩＩＩ−ＶＩＩＩ矢視線断面図である。
【図９】上記実施形態に係るシートバックにおけるバックフレームのインナパネルを斜め前から見た斜視図である。
【発明を実施するための形態】
【００１５】
図１〜図９は、本発明の一実施形態を示す。この実施形態は、競技場等の観覧席で用いられるスタジアムシートに本発明を適用した例である。各図中、矢印によりスタジアムシート１に着座した着座者Ｐを基準とした各方向を示している。以下の説明において、方向に関する記述は、この方向を基準として行うものとする。
【００１６】
本実施形態のスタジアムシート１は、着座部となるシートクッション２と、背凭れ部となるシートバック１０と、シートバック１０内に配設されたスピーカユニット６０と、を備える。シートクッション２とシートバック１０は、シートクッション２の後端部に対してシートバック１０の下端部が近接するとともに、シートクッション２に対してシートバック１０が起立した姿勢の状態で図示しない連結部材を介してフロアＦに取付けられている。シートクッション２については、公知の構成のものであるので説明を省略し、シートバック１０について説明していく。ここで、スタジアムシート１が、特許請求の範囲の「スピーカ付きシート」に相当する。
【００１７】
図１〜図３に示すように、シートバック１０は、その骨格を成すバックフレーム１１の上にクッション材である発泡ウレタン製のバックパッド１２を載置し、その上から表皮材であるバックカバー１３で覆った構造をしている。ここで、バックフレーム１１、バックパッド１２、バックカバー１３が、それぞれ、特許請求の範囲の「フレーム」、「パッド」、「カバー」に相当する。
【００１８】
バックフレーム１１は、繊維強化プラスチック製の部材で、インナパネル２０とアウタパネル３０が最中状に組み合わされて形成されている。インナパネル２０は、着座者Ｐの背部を支持する上パネル部２１と、着座者Ｐの腰部を支持する下パネル部２２と、を有する。図９によく示されるように、上パネル部２１の上端部側には、上後方に向かって滑らかに湾曲する上湾曲面２１ａが形成されている。上湾曲面２１ａには、左右一対の変則的形状の開口部２１ｂが形成されている。開口部２１ｂは、前面視でシート幅方向中央側からシート幅方向外側にかけて徐々に下方に向けて傾いて延びる斜め開口部２１ｂ１と、斜め開口部２１ｂ１のシート幅方向中央部側から下方に向かって延びる縦開口部２１ｂ２と、を有する。また、開口部２１ｂの下側周縁部は、上方に向かって延びる突起部２１ｃとして形成されている。開口部２１ｂには、後述するスピーカユニット６０の一部が挿入されて支持される。上パネル部２１の左右端部には後方に向かって延びる立壁部２１ｄが形成されて剛性が高められている。上パネル部２１の後面側には、後方に向かって延びる係合部２１ｅが左右端部側にそれぞれ３つずつ上下方向に等間隔で並んで配設されている。下パネル部２２の下端部側には、前方に向かって突出するように湾曲して左右方向に延びる下湾曲部２２ａが形成されているとともに、下パネル部２２の左右端部には後方に向かって延びる立壁部２２ｂが形成されて剛性が高められている。下パネル部２２の後面側には、後方に向かって延びる係合部２２ｃが、左右端部側にそれぞれ２つずつ上下方向に並んで配設されている。また、下パネル部２２の下湾曲部２２ａの後面側には、係合部２２ｃが左右方向に４つ並んで等間隔で配設されている。
【００１９】
アウタパネル３０は、水平方向に切った断面が前方に向かって開口する略Ｕ字形状でインナパネル２０と同程度上下方向に延びて形成されている。アウタパネル３０の前面側には、インナパネル２０の係合部２１ｅと係合部２２ｃに対応する位置に被係合部（図示せず）が設けられ、係合部２１ｅと係合部２２ｃに対して被係合部を係合させることによってインナパネル２０とアウタパネル３０が最中状に形成される。アウタパネル３０の両側部の下側には、アウタパネル３０を図示しない連結部材に固定するためのボルト孔３１が複数設けられている。インナパネル２０とアウタパネル３０が最中状に組み合わされることでバックフレーム１１の剛性が高められている。アウタパネル３０の後側面には必要に応じて外観品質を向上させるための塗装が施される。
【００２０】
図２〜図８に示すように、バックパッド１２は、発泡ウレタン樹脂を成型した部材でバックフレーム１１に対して取付けたとき、上パネル部２１に対応する上パッド部４０と、下パネル部２２に対応する下パッド部５０と、を有する。図５及び図６によく示されるように、上パッド部４０は、その上部に上パネル部２１の上湾曲面２１ａに当接して後方から支持される上突出部４１を有する。上突出部４１は、後下側部分が上湾曲面２１ａに当接して支持され上側部分は上湾曲面２１ａの上端部より上方に突出している。上突出部４１は、着座者Ｐの頭部を支持する部分であり、左右方向の中央部のみが着座者Ｐの頭部からの力を受け、それ以外の部分は着座者Ｐの身体からの力を受けにくい。上突出部４１の左右方向両側部分すなわち着座者Ｐの頭部を挟む両側部分には略前後方向に貫通する左右一対の貫通孔４１ａが設けられている。詳しくは、各貫通孔４１ａは、図５〜図８によく示されるように、概略、横断面が矩形状の角筒状をしており、その軸線の方向が水平面内において前方に向かうにつれて互いに近接するように形成されている。これは、各貫通孔４１ａの中にスピーカユニット６０を配置したとき、着座者Ｐの左右の耳に音声をよく伝えるためのものである。さらに詳しくは、各貫通孔４１ａは、前側の前側部分４１ａ１と、後側の後側部分４１ａ２と、を有する。前側部分４１ａ１の方が後側部分４１ａ２に比べて横断面が大きく、その境界部には中段差部４１ａ３が形成されている。中段差部４１ａ３は上側の方が下側より大きく、シート幅方向中央側の方がシート幅方向外側より大きい。すなわち、前側部分４１ａ１の軸方向に対して後側部分４１ａ２の軸方向は、下方向かつシート幅方向外側方向に偏倚している。中段差部４１ａ３は、概略、上突出部４１の前後方向中央部に配置されている。後側部分４１ａ２の後側開口部の外周縁部には、中段差部４１ａ３と平行な後段差部４１ａ４が形成されている。バックパッド１２がバックフレーム１１に対して取付けられたとき、各貫通孔４１ａは、それぞれバックフレーム１１の各開口部２１ｂに対応した位置に配置される。図３、図７及び図８によく示されるように、上パッド部４０の左右端部には後方に向かって延びる左右一対の側壁部４２が設けられている。バックパッド１２がバックフレーム１１に対して取付けられたとき、各側壁部４２は上パネル部２１の左右端部のシート幅方向外側に配置されてその上からバックカバー１３で覆われる。ここで、中段差部４１ａ３が、特許請求の範囲の「段差部」に相当する。また、前側部分４１ａ１と後側部分４１ａ２が、それぞれ、特許請求の範囲の「ハニカム部材が密嵌して取付けられる部分」と「平面スピーカが密嵌して取付けられる部分」に相当する。
【００２１】
図３、図５〜図８に示すように、スピーカユニット６０は、ハニカム部材６１と、スピーカ装置６２と、隙埋部材６３と、を有する。ハニカム部材６１は、ブロック状の材料から切り出されて形成されており、四角柱を底面に対して傾斜する面で切った形状とされている。詳しくは、ハニカム部材６１をバックパッド１２の前側部分４１ａ１の周縁部に密嵌状態で挿入したとき、ハニカム部材６１の後側の端面は中段差部４１ａ３に当接してそれ以上の後方への移動を阻止している。このとき、ハニカム部材６１の複数のセルの軸線は、前側部分４１ａ１の軸線と方向が一致するようになっているとともに、ハニカム部材６１の前側の端面が前側部分４１ａ１の前側の開口を塞いでバックパッド１２の上突出部４１の前面に滑らかに連続するように形成されている。ハニカム部材６１は、複数のセルの横断面が六角形のものを採用したが、これに限らず、横断面をｎが３以上のｎ角形としたり、円形や楕円形としてもよい。ここで、密嵌とは、前側部分４１ａ１の横断面の大きさに対してハニカム部材６１の横断面の大きさを若干大きめにして前側部分４１ａ１の周縁部のバックパッド１２を撓ませながらハニカム部材６１を挿入することにより、バックパッド１２の反発力でハニカム部材６１を保持している状態をいう。
【００２２】
スピーカ装置６２は、平面スピーカ６２ａと、平板６２ｂと、４本の円管状のスペーサ６２ｃと、８本のビス６２ｄと、を有する。平面スピーカ６２ａは、バックパッド１２の後側部分４１ａ２の横断面に対して若干大きめの矩形板状をしたスピーカで、面外方向に振動して音声を出力するものである。平板６２ｂは、平面スピーカ６２ａより長軸方向、短軸方向とも大きめの矩形状の板材である。平面スピーカ６２ａに対して平板６２ｂを平行に配置した状態でそれぞれのコーナ部間にスペーサ６２ｃを配置して平面スピーカ６２ａ側と平板６２ｂ側からスペーサ６２ｃの内筒部に対してビス６２ｄで締結することにより一体化されてスピーカ装置６２が構成されている。スペーサ６２ｃの軸方向の長さは、貫通孔４１ａの後側部分４１ａ２の軸方向の長さとほぼ等しく設定されている。
【００２３】
ハニカム部材６１をバックパッド１２の前側部分４１ａ１の周縁部に密嵌状態で挿入した状態で、後側部分４１ａ２に後方からスピーカ装置６２を平面スピーカ６２ａの側から挿入し、平面スピーカ６２ａが後側部分４１ａ２の周縁部に密嵌状態となるようにする。このとき、平面スピーカ６２ａはハニカム部材６１の後側の端面に当接し、平板６２ｂの周縁部の前面の一部はバックパッド１２の後段差部４１ａ４に当接して、それ以上の前方への移動を阻止している。隙埋部材６３は、発泡ウレタン樹脂製のスラブパッドから切り出して形成した部材でバックパッド１２にハニカム部材６１とスピーカ装置６２を密嵌状態で配置したとき平板６２ｂの後ろ側に形成される凹部を埋めてバックパッド１２の上突出部４１の後面とバックフレーム１１の上部とが滑らかに連続するようにする部材である。
【００２４】
シートバック１０へのスピーカユニット６０の取付け手順について説明する。図３、図５〜図８に示すように、まず、インナパネル２０とアウタパネル３０を最中状に組み合わせてバックフレーム１１を作り、前側からバックパッド１２を載置する。この状態で、予め組み立てたスピーカ装置６２をバックパッド１２の後側部分４１ａ２に後方から挿入して平板６２ｂの下端部側をバックフレーム１１の斜め開口部２１ｂ１に上方から挿入する。すると、平板６２ｂは前側から突起部２１ｃの上端部によって、後側から斜め開口部２１ｂ１の後側周縁部によって支持される。このとき、シート幅方向内側下のスペーサ６２ｃは縦開口部２１ｂ２の中に挿入されて下端部近傍に位置している。この状態で、バックパッド１２の前側部分４１ａ１にハニカム部材６１を挿入して密嵌状態とするとともに、スピーカ装置６２の平板６２ｂの後ろ側の凹部に隙埋部材６３を嵌め込んでバックカバー１３で被覆する。このとき、スピーカユニット６０は、ハニカム部材６１とスピーカ装置６２が貫通孔４１ａ内に密嵌されるとともに、スピーカ装置６２の平板６２ｂがバックフレーム１１の斜め開口部２１ｂ１に挿入されて支持される。さらに、ハニカム部材６１の前面と隙埋部材６３の後面がバックカバー１３で覆われることによって支持される。これによって、スピーカユニット６０はシートバック１０に対し離脱しないように組み付けられる。
【００２５】
以上のように構成される実施形態は、以下のような作用効果を奏する。シートバック１０にスピーカユニット６０を取付けるのに、バックパッド１２の貫通孔４１ａの中にハニカム部材６１とスピーカ装置６２とを密嵌して取付けた状態で後方から隙埋部材６３を配置してバックカバー１３によって覆うだけでよい。これによって、シートバック１０にスピーカユニット６０を取付けるために成型部品等の高価な部品を使用せずに簡潔な構造のスタジアムシート１を提供することができる。また、ハニカム部材６１はブロック状の材料から切り出して形成すればよいので型等を使用せず安価簡便な方法で製造することができる。さらに、スピーカ装置６２は平面スピーカ６２ａに平板６２ｂが取付けられて構成されている。そして、この平板６２ｂがバックフレーム１１の斜め開口部２１ｂ１に上方から挿入されることによって、スピーカ装置６２のシートバック１０に対する前後方向の移動が阻止されている。これによって、スピーカユニット６０をシートバック１０に対してより外れにくく取付けることができる。加えて、ハニカム部材６１はその後面が、中段差部４１ａ３に当接して後方向への移動を止められるのでよりシートバック１０から外れにくくすることができる。
【００２６】
以上、特定の実施形態について説明したが、本発明は、それらの外観、構成に限定されず、本発明の要旨を変更しない範囲で種々の変更、追加、削除が可能である。例えば、次のようなものが挙げられる。
【００２７】
１．上記実施形態においては、競技場等の観覧席で用いられるスタジアムシート１に本発明を適用したが、これに限らず、劇場用のシートや映画館用のシート等に適用することもできる。
【００２８】
２．上記実施形態においては、バックフレーム１１を繊維強化プラスチック製のパネル状フレームとして形成したが、これに限らず、金属製のパネル状フレームであってもよいし金属製の枠状フレームやパイプ状フレームであってもよい。
【００２９】
３．上記実施形態においては、バックパッド１２の着座者Ｐの頭部を挟む両側部分に左右一対の貫通孔４１ａを設けてそのそれぞれにスピーカユニット６０を取付けたが、これに限らず、バックパッド１２の上部に１つの貫通孔を設けそこに１つのスピーカユニット６０を取付けてもよい。
【符号の説明】
【００３０】
１     スタジアムシート（スピーカ付きシート）
２     シートクッション
１０   シートバック
１１   バックフレーム（フレーム）
１２   バックパッド（パッド）
１３   バックカバー（カバー）
２０   インナパネル
２１ｂ 開口部
２１ｂ１      斜め開口部
２１ｂ２      縦開口部
３０   アウタパネル
４１   上突出部
４１ａ 貫通孔
４１ａ１      前側部分（ハニカム部材が密嵌して取付けられる部分）
４１ａ２      後側部分（平面スピーカが密嵌して取付けられる部分）
４１ａ３      中段差部（段差部）
４１ａ４      後段差部
６０   スピーカユニット
６１   ハニカム部材
６２   スピーカ装置
６２ａ 平面スピーカ
６２ｂ 平板
６３   隙埋部材
Ｐ     着座者
【図１】
2020151051.tif 000003
【図２】
2020151051.tif 000004
【図３】
2020151051.tif 000005
【図４】
2020151051.tif 000006
【図５】
2020151051.tif 000007
【図６】
2020151051.tif 000008
【図７】
2020151051.tif 000009
【図８】
2020151051.tif 000010
【図９】
2020151051.tif 000011